(57)【要約】【課題】オン・オフの状態を表示する機能を持つマイクロホンまたはマイクロホン用アクセサリーにおいて、必要な部品または全体の寸法の大型化を回避することができ、かつ、低コスト化を実現する。【解決手段】電気音響変換により生成された音声信号をオン、オフするスイッチと、音声信号のオン、オフで点灯または消灯する光源３，４と、光源３，４からの光の入射部５２と入射した光を長さ方向に導く導光部５４および光を発散する光発散部５１を有する光放射部材５と、を備え、光放射部材５の導光部５４は、入射部５２から遠ざかるにしたがって厚みが薄くなっているマイクロホンまたはそのアクセサリー。【選択図】図８
2015119271.tif 000002
【特許請求の範囲】
【請求項１】
電気音響変換により生成された音声信号をオン、オフするスイッチと、
上記スイッチのオン、オフで点灯または消灯する光源と、
上記光源からの光の入射部と入射した光を長さ方向に導く導光部および光を発散する光発散部を有する光放射部材と、を備え、
上記光放射部材の導光部は、上記入射部から遠ざかるにしたがって厚みが薄くなっているマイクロホン。
【請求項２】
上記マイクロホンはバウンダリーマイクロホンであって、光放射部材は音声入り口の周囲を取り囲む円形状である請求項１記載のマイクロホン。
【請求項３】
上記バウンダリーマイクロホンは、埋め込み型のバウンダリーマイクロホンである請求項２記載のマイクロホン。
【請求項４】
上記マイクロホンはグースネック型マイクロホンであって、光放射部材は上記グースネック型マイクロホンを取り囲む円形状である請求項１記載のマイクロホン。
【請求項５】
上記光放射部材は、長さ方向両端部が入射部で、長さ方向中央部の厚みが最も薄い請求項１乃至４のいずれかに記載のマイクロホン。
【請求項６】
上記光放射部材は、長さ方向中央部が入射部である請求項乃至４のいずれかに記載のマイクロホン。
【請求項７】
上記光放射部材は、円の一部に切除部が形成されたＣ字形状である請求項１乃至６のいずれかに記載のマイクロホン。
【請求項８】
上記光放射部材は、完結した円形状であり円形の一部が入射部で、この入射部から周方向に１８０度ずれた位置の厚みが最も薄い請求項１乃至７のいずれかに記載のマイクロホン。
【請求項９】
上記光源は、１つまたは複数の発光素子からなる請求項１乃至８のいずれかに記載のマイクロホン。
【請求項１０】
上記光源は、発光色の異なる発光素子を有してなり、上記スイッチのオンとオフに応じて異なる発光色の発光素子が点灯する請求項１乃至９のいずれかに記載のマイクロホン。
【請求項１１】
上記発光色の異なる複数の発光素子は、放射部材の入射部ごとにこの入射部に対応して配置されている請求項１０記載のマイクロホン。
【請求項１２】
上記光放射部材の導光部の厚みが入射部から遠ざかるにしたがって薄くなることによって上記光放射部材とその支持部材との間に生じる隙間に、補完部材が介在している請求項１乃至１１のいずれかに記載のマイクロホン。
【請求項１３】
上記補完部材の光の屈折率は、上記光放射部材の屈折率よりも低い請求項１２記載のマイクロホン。
【請求項１４】
電気音響変換により生成された音声信号をオン、オフするスイッチと、
上記スイッチのオン、オフで点灯または消灯する光源と、
上記光源からの光の入射部、入射した光を長さ方向に導く導光部および光を発散する光発散部を有する光放射部材と、
マイクロホンを受け入れてマイクロホンを保持するマイクロホン装着部と、を備え、
上記光放射部材は、上記マイクロホン装着部の周囲に配置され、
上記光放射部材の導光部は、上記入射部から遠ざかるにしたがって厚みが薄くなっているマイクロホン用アクセサリー。
【請求項１５】
上記マイクロホン装着部は、マイクロホン側コネクタと嵌まり合って音声信号を外部に出力するコネクタを有する請求項１４記載のマイクロホン用アクセサリー。
【請求項１６】
上記マイクロホン装着部は、上端部にフランジを有する筒形の部材で構成され、上記フランジを除いてテーブルの天板に埋め込むことができる請求項１４または１５記載のマイクロホン用アクセサリー。
【請求項１７】
上記マイクロホン装着部のフランジに上記光放射部材が配置されている請求項１６記載のマイクロホン用アクセサリー。
【請求項１８】
上記マイクロホン装着部は、グースネック型マイクロホンの基部を受け入れて上記グースネック型マイクロホンを保持することができる請求項１４乃至１７のいずれかに記載のマイクロホン用アクセサリー。
【発明の詳細な説明】
【技術分野】
【０００１】
本発明は、電気音響変換によって生成した音声信号の出力がオンであるかまたはオフであるかを光学的に表示することができるマイクロホンおよびマイクロホン用アクセサリーに関するものである。
【背景技術】
【０００２】
会議場や教室などにおいて、テーブルや机などの天板に、目立たないように設置して使用するマイクをバウンダリーマイクロホンと称している。バウンダリーマイクロホンには、全体が扁平で上記天板上に載置して使用するものと、マイクロホンの大半を上記天板に埋め込み、集音部のみを天板上に露呈させる埋め込み型がある。
【０００３】
図１８は、従来の埋め込み型バウンダリーマイクロホンの例を示す。図１８において、埋め込み型バウンダリーマイクロホン８０は、円筒形状のマイクロホン本体８１の一端部にマイクロホンユニット８２が組み込まれることによって構成されている。マイクロホンユニット８２は、マイクロホン本体８１の一端部の内方に固着されたクッション材８５を介してマイクロホン本体８１に組み込まれている。マイクロホン本体８１の一端部外周にはフランジ８６が一体に形成されている。
【０００４】
マイクロホン本体８１の大半はテーブルや机などの天板に埋め込まれ、フランジ８６がテーブルや机などの天板に開けられた埋め込み孔の周縁に当たることによりマイクロホン本体８１の上端部のみが上記天板上に露呈している。上記フランジ８６には、マイクロホンユニット８２を覆って金属メッシュ８３が固着されている。マイクロホン本体８１内にはマイクロホン回路が実装された回路基板８４が組み込まれている。マイクロホンユニット８２で電気音響変換された音声信号は、マイクロホンコネクタ８８から外部機器に向けて出力される。
【０００５】
会議場や教室などにおいて用いられるマイクロホンの形態としてグースネック型マイクロホンもある。グースネック型マイクロホンは、主として、テーブルや机などの天板に固着する基部、この基部から延び出たフレキシブルパイプおよびこのフレキシブルパイプの先端に固着されたマイクロホンを有してなる。
【０００６】
会議場や教室などにおいて、複数の出席者に対応して複数のマイクロホンを設置する場合、音声信号の出力をオン、オフするスイッチを備えたマイクロホンが用いられる。同時に複数のマイクロホンがオンになっていると、複数の発言が錯綜し、あるいは無用の騒音が集音・再生されて聞き取りにくくなる。そのため、発言する人に対応するマイクロホンのみを上記スイッチで選択する。また、図１８に示す従来例は備えていないが、発言可能なオンのマイクロホンとオフのマイクロホンを光で区別することが考えられている。例えばオンのマイクロホンは緑の発光色の光源を点灯させ、オフのマイクロホンは赤の発光色の光源を点灯させるようにしたものがある。
【０００７】
オンであるかオフであるかを発光色で区別することができるマイクロホンは、一般的に、発光色の異なる複数の光源と光放射部材を有する。光放射部材は、一般的にはマイクロホンの周囲を取り囲むリング状になっている。下部に配置された光源からの光を上記放射部の表面に向かって導き、上記放射部の表面から光を発散するようになっている。上記光放射部材は、下部に配置された光源からの光を上記光発散部で均一に発散させるように、中心軸線方向の寸法を大きくして、内部での光拡散効果を高めている。したがって、光表示装置の大きさおよびマイクロホン全体の大きさが大きくなる難点がある。また、光発散部から均一に光が発散され、かつ光量を確保するために、光放射部材に対向する複数個所に多くの光源を一定間隔で配置している。したがって、構造が複雑になり、コスト高になる難点がある。
【０００８】
本願発明の必須の構成である光放射部材に関連のある先行技術として、以下の特許文献１乃至５記載の発明がある。
特許文献１記載の発明は、照光インジケータ付き入力装置に関するもので、インジケータと一体の導光部材に分岐を設け、この分岐の移動通路に対向させて光源を配置したものである。インジケータの移動位置に応じ上記分岐が光源と対向する場合と対向位置からずれる場合があることによってインジケータが明滅し、もってインジケータの位置が表示されるようにしたものである。
【０００９】
特許文献２記載の発明は、光インジケータに関するもので、導光路を有する表示部の一端面を、プリント基板に実装した発光部に対向させ、上記表示部の一端面から入射した光を他端面から放射させるように構成したものである。
【００１０】
特許文献３記載の発明は、導光ユニットおよび車両用表示装置に関するもので、光源からの照明光を導光路に入射し、導光路を伝搬した照明光で表示部の周囲をリング照明するものである。均一なリング照明を行うために、導光路の光伝搬用反射面に光拡散処理を施したことを特徴としている。
【００１１】
特許文献４記載の発明は、面発光装置に関するもので、リング状の導光板の外周に、光源からの光を上記導光板の周回光路の両方向に案内する補助導光部が一体に形成されていることを特徴としている。
【００１２】
特許文献５記載の発明は、液晶表示装置のサイドライト方式バックライトに関するもので、長方形の板状の導光板と、導光板の第１の短辺および第２の短辺の側面から光を入射する光源装置を有してなる。上記導光板は、光源装置からの光を液晶セルの背面側から照射する。すなわち液晶セルを照明する光はバックライトとなる。
バックライトの輝度を均一化するために、導光板は、第１、第２の短辺から導光板の中央に向かって厚さが減少する傾斜面を有している。
【先行技術文献】
【特許文献】
【００１３】
【特許文献１】特開２００９−２５９５８０号公報
【特許文献２】特開２００６−３２３６１５号公報
【特許文献３】特開平１０−２０７４０８号公報
【特許文献４】特開２００４−２８８５８４号公報
【特許文献５】特開２０１２−１６３７２２号公報
【発明の概要】
【発明が解決しようとする課題】
【００１４】
本発明は、オンであるかオフであるかを光で表示することができるマイクロホンまたはマイクロホン用アクセサリーにおいて、必要な部品または全体の寸法の大型化、構造の複雑化を回避することができ、かつ、低コスト化を実現することを目的とする。
【課題を解決するための手段】
【００１５】
本発明に係るマイクロホンは、
電気音響変換により生成された音声信号をオン、オフするスイッチと、
上記スイッチのオン、オフで点灯または消灯する光源と、
上記光源からの光の入射部と入射した光を長さ方向に導く導光部および光を発散する光発散部を有する光放射部材と、を備え、
上記光放射部材の導光部は、上記入射部から遠ざかるにしたがって厚みが薄くなっていることを最も主要な特徴とする。
【００１６】
本発明に係るマイクロホン用アクセサリーは、
電気音響変換により生成された音声信号をオン、オフするスイッチと、
上記スイッチのオン、オフで点灯または消灯する光源と、
上記光源からの光の入射部と入射した光を長さ方向に導く導光部および光を発散する光発散部を有する光放射部材と、
マイクロホンを受け入れてマイクロホンを保持するマイクロホン装着部と、を備え、
上記光放射部材は、上記マイクロホン装着部の周囲に配置され、
上記光放射部材の導光部は、上記入射部から遠ざかるにしたがって厚みが薄くなっていることを最も主要な特徴とする。
【発明の効果】
【００１７】
入射部から光放射部材に入射した光源からの光は、導光部によって光放射部材の長さ方向に導かれながら、光発散部から発散される。従来技術では、光放射部材の入射部から遠ざかるにしたがって光量が減少するが、本願発明では、光放射部材の導光部は入射部から遠ざかるにしたがって厚みが薄くなっているため、導光部に沿って光が収束され、光発散部から均一に光が発散される。光源の数が少なくても光が均一に発散されるため、コストの低廉化を図ることができる。光放射部材は厚さが薄くても光発散部から均一に光を発散することができるため、光放射部材およびマイクロホンの寸法を小さくすることができる。
【図面の簡単な説明】
【００１８】
【図１】本発明に係るマイクロホンの実施例を示す縦断面図である。
【図２】上記マイクロホンの上部平面図である。
【図３】上記実施例中の光放射部材の平面図である。
【図４】上記光放射部材の正面図である。
【図５】図３における線Ａ−Ａに沿う断面図である。
【図６】上記光放射部材の側面図である。
【図７】上記光放射部材の背面図である。
【図８】上記光放射部材と光源との関係および導光の様子を示す拡大側面図である。
【図９】本発明に係るマイクロホン用アクセサリーの実施例を示す縦断面図である。
【図１０】上記マイクロホン用アクセサリーの実施例にマイクロホンが装着される途中の様子を示す縦断面図である。
【図１１】上記マイクロホン用アクセサリーの実施例にマイクロホンが装着された様子を示す縦断面図である。
【図１２】上記マイクロホン用アクセサリーの上部平面図である。
【図１３】本発明に適用可能な光放射部材の別の例を示す平面図である。
【図１４】上記光放射部材の底面図である。
【図１５】上記光放射部材の入射部を示す拡大底面図である。
【図１６】上記光放射部材の側面図である。
【図１７】上記光放射部材の背面図である。
【図１８】従来のマイクロホンの例を示す縦断面図である。
【発明を実施するための形態】
【００１９】
以下、本発明に係るマイクロホンおよびマイクロホン用アクセサリーの実施例について図面を参照しながら説明する。
【実施例１】
【００２０】
［マイクロホン］
図１、図２は、埋め込み型のバウンダリーマイクロホンとして構成されたマイクロホンの実施例を示している。図１、図２において、マイクロホン１は円筒形状のマイクロホン本体１０を有してなる。マイクロホン本体１０の上端部には、マイクロホン本体１０の内周側に固着されたクッション材２０の介在のもとにマイクロホンユニット２が取り付けられている。マイクロホンユニット２の電気音響変換方式は限定されないが、図示の実施例ではコンデンサマイクロホンユニットを使用している。マイクロホン本体１０の下端部には、音声信号を外部に出力するマイクロホンコネクタ１６が取り付けられている。マイクロホン本体１０は導電性の素材で製作されている。
【００２１】
マイクロホン本体１０の上端外周にはフランジ１１が一体に形成されている。フランジ１１の上面には、導電リング１３がフランジ１１の内周に沿って配置されている。導電リング１３の上部外周には、フロントメッシュ９の下端部内周が嵌められている。フロントメッシュ９は金属メッシュをボウル状に成形したもので、ボウルを伏せた姿勢で配置されている。したがって、フロントメッシュ９の下端が開口端になっていて、フロントメッシュ９の上記開口端が導電リング１３に固着されている。フロントメッシュ９とマイクロホン本体１０との間に導電リング１３が介在し、フロントメッシュ９とマイクロホン本体１０は電気的に導通している。
【００２２】
フロントメッシュ９は、マイクロホンユニット２との間に適宜の空間をおいてマイクロホンユニット２を囲んでいる。フロントメッシュ９は音波を通す構造になっている。マイクロホン本体１０のフランジ１１の上面には、導電リング１３の外周に隣接してリング状の回路基板１８が固着されている。回路基板１８には発光素子が実装されている。回路基板１８の上には、上記発光素子を挟んで光放射部材５が配置されている。光放射部材５は、フロントメッシュ９の周囲すなわち音声入り口の周囲を取り囲むほぼ円形状になっている。以下、光放射部材５について詳細に説明する。
【００２３】
［光放射部材の構成］
図３乃至図８に示すように、光放射部材５は、フロントメッシュ９の外周に沿う円形状に形成され、円の一部が切除されて上面から見た形がＣ字状になっている。実施例では、光放射部材５として、アクリル樹脂による一体成形品を用いた。Ｃ字形状の光放射部材５の長さ方向両端下部は切除されて庇状の入射部５２が形成されている。光放射部材５の底面は、長さ方向両端部から一定の距離まで平坦底面５６になっている。入射部５２は平坦底面５６と平行に形成されている。入射部５２は鏡面仕上げされている。
【００２４】
図８に示すように、光放射部材５の平坦底面５６が回路基板１８の上面に密着して配置されている。回路基板１８には、光放射部材５の両端部の各入射部５２に対応する位置にそれぞれ複数の、図示の例ではそれぞれ２個の発光素子３，４が発光面を上に向けて実装されている。本実施例では、発光素子３として緑色光を発光するＬＥＤ、発光素子４として赤色光を発光するＬＥＤを用いた。
【００２５】
光放射部材５の長さ方向両端部の上面、入射部５２および発光素子３，４の発光面に対向する面は、約４５度に傾斜した反射面５３になっていて、各反射面５３も鏡面仕上げされている。各反射面５３は、発光素子３，４から放射される光を光放射部材５の内方に向かって反射させる向きに傾斜している。各反射面５３には、例えば反射シールを貼り付けるとよい。
【００２６】
光放射部材５の縦断面の上部は図５に示すように半円状になっていて、この半円状の上面はブラスト処理によって荒らされて光発散部５１となっている。光放射部材５の底面は、反射面５３で反射された光を全反射しやすいように鏡面仕上げし、あるいは反射膜を形成するとよい。また、光放射部材５の材料である透明樹脂に光拡散材料を混合してもよい。光拡散材料を光放射部材５に混合することにより、発光素子の光を光放射部材５全体に、より均一に届けることができる。光拡散材料を混合した光放射部材５の光発散部５１をブラスト処理によって荒らしてもよい。
【００２７】
発光素子３，４から放射される光は、光放射部材５の両端部の入射部５２から光放射部材５内に導かれ、各反射面５３によって光放射部材５の内方に向かって反射さる。この反射光は、光拡散面である光放射部材５の上面で乱反射しながら、また、底面で反射されながら光放射部材５内を進行し、縦断面形状が半円状の光発散部５１から発散される。光発散部５１は光放射部材５の長さ方向全体にわたって存在し、光発散部５１全体が発光素子３または発光素子４の発光色によって明るくなる。例えば、発光素子３は緑色発光ダイオード、発光素子４は赤色発光ダイオードが用いられる。発光素子３が発光すれば光放射部材５の上面の光発散部５１全体が緑色に光り、発光素子４が発光すれば光放射部材５の光発散部５１全体が赤色に光る。
【００２８】
光放射部材５の底面は、長さ方向両端部からある程度の距離までは前述のように平坦な底面５６になっているが、そこから遠ざかるにしたがって光放射部材５の厚みが薄くなるように、緩やかなアーチ状を描く傾斜面５５になっている。従来技術では、発光素子３，４から遠ざかるにしたがって到達する光量が低下する。そこで、この実施例１では、光放射部材５の底面に上記のような傾斜面５５を形成し、発光素子３，４から遠ざかるにしたがって光放射部材５の厚みを薄くして光が収束するように構成している。かかる構成にすることにより、光が遠くまで到達するとともに、発光素子３，４から遠ざかることによる光量の低下を、光を収束させることで補い、光放射部材５から放射される光量のばらつきをなくしている。実施例１では、傾斜面５５はアーチ状であるが、逆Ｖ字状でも同様の効果を有する。
【００２９】
マイクロホンがオンのときは発光素子３を点灯させて光放射部材５を緑色に光らせ、音声信号出力がオフのときは発光素子４を点灯させて光放射部材５を赤色に光らせる。こうして、マイクロホンの動作状態を表示することができる。発光素子の数は任意である。発光素子が点灯しているときはマイクロホンがオン、発光素子が消灯しているときはマイクロホンがオフ、というように、発光素子は最低１個あれば動作状態を表示することができる。
【００３０】
図１、図２に示すように、マイクロホン本体１０のフランジ１１は、その一部が半径方向外側に向かって形成された突出部１２を有している。マイクロホン本体１０のフランジ１１には突出部１２の上面にスイッチ６が配置され、スイッチ６の上方は操作板７で覆われている。操作板７はスイッチ６の操作ボタンに接していて、操作板７が押されると上記操作ボタンが押されてスイッチ６が切り替わるようになっている。
【００３１】
スイッチ６が作動するたびに発光素子３，４が交互に切り替えられて発光色が赤色と緑色に切り替わり、光放射部材５から放射される光の色も発光素子の発光色と同じ色に切り替わる。あるいは、スイッチ６の作動によって発光素子が点灯と消灯に切り替わるようにしてもよい。要するに、スイッチ６の作動によってマイクロホンの出力信号がオン、オフすると、発光素子の動作が切り替わるように構成されている。
【００３２】
マイクロホン本体１０のフランジ１１には、フランジ１１を外周側から覆うカバー８が被せられている。カバー８は、フランジ１１の外周に嵌る円筒形状の部分とこれに続く円錐形状の部分を有し、円錐形状の部分の上端内周縁は光放射部材５の上端部外周に沿っている。カバー８の上記上端内周縁とフロントメッシュ９の外周との間から光放射部材５の上端部が露呈している。
【００３３】
カバー８は、平面形状がＣ字形状の光放射部材５の前記切除部に進入してこの切除部を覆う補完部１９（図２参照）を一体に有している。カバー８の補完部１９は、上記円錐形状の一部が内方に向かって突出することにより形成されており、周方向には円弧状で、上下面は平坦面になっている。
【００３４】
バウンダリーマイクロホンの大半をなすマイクロホン本体１０は、テーブルなどの天板に埋め込まれる。マイクロホン本体１０のフランジ１１は適宜の緩衝材を介在させて上記天板上に載せられ、天板に固定される。上記天板上にはフロントメッシュ９、カバー８、光放射部材５が露呈する。フロントメッシュ９を通り抜けた音波がマイクロホンユニット２に入って電気音響変換される。光放射部材５の光る色を見ることにより、そのマイクロホンが動作中であるか否か、すなわち音声信号の出力動作中であるかまたは待機中であるかを判別することができる。マイクロホン本体１０内には、マイクロホン回路を組み込んだ回路基板１４が固定されている。
【００３５】
以上説明したマイクロホンの実施例によれば、マイクロホンのオン、オフを光放射部材５による光放射状態によって識別することができる。従来技術では、光放射部材の入射部から遠ざかるにしたがって光量が減少していた。しかし、本実施例の構成によれば、光放射部材５の導光部５４は入射部５２から遠ざかるにしたがって厚みが薄くなっているため、導光部に沿って光が収束され、光発散部５１から均一に光が発散される。また、光源の数が少なくても光が均一に発散されるため、コストの低廉化を図ることができる。光放射部材５は厚さが薄くても光発散部５１から均一に光を発散することができるため、光放射部材５およびマイクロホンの寸法を小さくすることができる。また、上記理由から、光放射部材自体の構造、光放射部材とその周辺の光源などの組立構造を単純化することができるため、組立性が向上し、それに伴い、メンテナンス性の向上や不良率の低下にも寄与する。
【００３６】
［構成の付加］
上記実施例で用いられている光放射部材５の導光部５４は、両端の入射部５２から遠ざかるに従い厚みが薄くなるように、緩やかなアーチ状の傾斜面５５が形成されている。そのため、光放射部材５の取り付け面である回路基板１８の上面から傾斜面５５が浮き上がっており、この浮き上がっている部分において上方から荷重がかかると、光放射部材５が撓む。特に、厚みが最も薄い部分は応力が最も集中する部分でありかつ最も撓み量が大きい部分であるから、この部分に荷重がかかると、この部分で破損する恐れがある。
【００３７】
そこで、傾斜面５５と、光放射部材５の支持部材である回路基板１８の上面との隙間に、この隙間を補完する部材を介在させ、外力による光放射部材５の撓みを防止する。上記補完部材は、光放射部材５の厚みが最も薄い部分と回路基板１８の上面との間に介在する柱状の部材であってもよい。上記補完部材の材質は、光の屈折率が光放射部材５の屈折率よりも低い材質にするとよい。そうすることによって、傾斜面５５による光の反射効果を高めることができる。
【００３８】
［マイクロホンの変形例］
以上、埋め込み型バウンダリーマイクロホンの実施例について説明したが、本発明を適用するマイクロホンの形式は上記実施例の形式に限定されるものではない。例えば、テーブルなどの天板上に載置する扁平型のバウンダリーマイクロホンにも、グースネック型マイクロホンにも適用可能である。グースネック型マイクロホンに本願発明を適用する場合、光放射部材を、フレキシブルケーブルの先端に取り付けたマイクロホン本体を囲んだ形態で設けてもよい。あるいは、フレキシブルケーブルの基端が結合されているグースネック型マイクロホンの基部を囲んだ形態で光放射部材を設けてもよい。本発明は、例えばカラオケ用マイクロホンにも適用可能で、カラオケ用マイクロホン本体の適宜の部位、例えば音声入り口に、その周囲を取り囲む形態で光放射部材を設けてもよい。
【実施例２】
【００３９】
［マイクロホン用アクセサリー］
次に、マイクロホン用アクセサリーの実施例について説明する。実施例２に係るマイクロホン用アクセサリーとは、例えば、図９乃至図１２に示すような、マイクロホン保持具１００であり、これは円筒形状の部材からなるマイクロホン保持部１１０を有してなる。マイクロホン保持部１１０の内部空間がマイクロホン装着部１１５となっている。マイクロホン保持部１１０の内方下部には、装着されるマイクロホン側のコネクタと嵌まり合うコネクタ１４０が、その下方に回路基板１５０が、さらにその下方にマイクロホンケーブルと結合するコネクタ１６０が組み込まれている。これらのコネクタ１４０，１６０を介して、マイクロホンで生成される音声信号が外部に出力される。
【００４０】
マイクロホン保持部１１０の上端外周にはフランジ１１１が一体に形成されている。マイクロホン保持部１１０のフランジ１１１の上面には、リング状の回路基板１１８が固着されている。回路基板１１８には発光素子が実装されている。回路基板１１８の上には、上記発光素子を挟んで光放射部材５が配置されている。光放射部材５は、前記実施例１において用いられている光放射部材５と同様の構成であり、同様の構成部分には共通の符号を付した。したがって、光放射部材５は、図３乃至図８に示すように、光発散部５１、入射部５２、反射面５３、導光部５４、傾斜面５５、平坦底面５６を有してなる。
【００４１】
マイクロホン保持部１１０のフランジ１１１は、その一部が半径方向外側に向かって形成された突出部１１２を有している。マイクロホン保持部１１０のフランジ１１１には、突出部１１２の上面にスイッチ１０６が配置され、スイッチ１０６の上方は操作板１０７で覆われている。操作板１０７はスイッチ１０６の操作ボタンに接していて、操作板１０７が押されると上記操作ボタンが押されてスイッチ１０６が切り替わるようになっている。
【００４２】
マイクロホン保持部１１０の上端部には、マイクロホン装着部１１５に装着されたマイクロホンを締結するためのショックマウント１２０と、その上にロックリング１３０が取り付けられている。ショックマウント１２０とロックリング１３０はいずれもマイクロホン装着部１１５に装着されるマイクロホンあるいはその基部を囲むリング状の部材である。ショックマウント１２０は圧縮力や引っ張り力を付与することによって変形する弾性体、例えばゴム質の素材からなる。ロックリング１３０は金属その他の剛体からなり、図１２に示すように、周方向の適宜の数か所（図示の例では３か所）にねじ止め部１２５が設けられている。ねじ止め部１２５にはねじが挿入され、これらのねじがマイクロホン保持部１１０にその上端からねじ込まれることにより、ロックリング１３０がショックマウント１２０を圧縮するようになっている。
【００４３】
次に、上記マイクロホン保持具１００にマイクロホンを装着する手順および装着時の動作について説明する。図示の例は、グースネック型マイクロホン２００の基部２１０を受け入れて上記グースネック型マイクロホン２００を保持することができるようにしたアクセサリーであるマイクロホン保持具の例である。図１０に示すように、グースネック型マイクロホン２００の基部２１０をマイクロホン装着部１１５に挿入する構成になっている。グースネック型マイクロホン２００は、基部２１０の上端からフレキシブルパイプ２２０が延び出ていて、フレキシブルパイプ２２０の先端にマイクロホンが取り付けられている。図１０では、ショックマウント１２０とロックリング１３０の描写は省略されている。
【００４４】
グースネック型マイクロホン２００の基部２１０をさらにマイクロホン装着部１１５に挿入し、図１１に示すように、上記基部２１０の下端部に設けられているコネクタをマイクロホン保持具側のコネクタ１４０に結合させる。さらに、ロックリング１３０の前記ねじ止め部１２５にねじを挿入してマイクロホン保持部１１０にねじ込む。ロックリング１３０はショックマウント１２０を圧縮し、ショックマウント１２０は圧力を受けて内径を縮小する方向に変形し、グースネック型マイクロホン２００の基部２１０を外周側から圧迫する。
【００４５】
こうしてグースネック型マイクロホン２００は、その基部２１０がマイクロホン保持具１００のマイクロホン装着部１１５に固着される。ショックマウント１２０は弾性を有しているため、上記基部２１０に対して緩衝材として作用し、マイクロホン保持具１００の振動がマイクロホン２００に伝達されることを軽減する。
【００４６】
前記操作板１０７が押されるとスイッチ１０６の操作ボタンが押されてスイッチ１０６が切り替わる。スイッチ１０６が作動するたびに回路基板１１８に実装されている発光素子が切り替えられて、発光色が例えば赤色と緑色に切り替わり、光放射部材５から放射される光の色も発光素子の発光色と同じ色に切り替わる。あるいは、スイッチ１０６の作動によって発光素子が点灯と消灯に切り替わるようにしてもよい。要するに、スイッチ１０６の作動によってマイクロホンの出力信号がオン、オフすると、発光素子の動作が切り替わるように構成されている。
【００４７】
以上説明したマイクロホン用アクセサリーの実施例によれば、グースネック型マイクロホン２００のオン、オフを光放射部材５による光放射状態によって識別することができる。光放射部材５は、前記マイクロホン実施例における光放射部材５と同じ構成であるから、入射部５２から遠ざかるにしたがって光が収束され、光発散部５１から均一に光が発散される。光源の数が少なくても光が均一に発散されるため、コストの低廉化を図ることができる。光放射部材５は厚さが薄くても光発散部５１から均一に光を発散することができるため、光放射部材５およびマイクロホンの寸法を小さくすることができる。また、上記理由から、光放射部材自体の構造、光放射部材とその周辺の光源などの組立構造を単純化することができるため、組立性が向上し、それに伴い、メンテナンス性の向上や不良率の低下にも寄与する。
【００４８】
この実施例における光放射部材５の傾斜面５５と回路基板５１８との間に生じる隙間にも、この隙間を埋める補完部材を設けてもよい。
【００４９】
［光放射部材の変形例］
ここまで説明してきた各実施例に用いられている光放射部材は、平面形状円形の一部に切除部が形成されたＣ字形になっていたが、図１３乃至図１７に示すような完結した円形状であってもよい。図１３乃至図１７において、光放射部材５０は平面形状が完結した円形状である。光放射部材５０の外周の一部が半径方向外側に向かって突出することにより入射部５５２が形成されている。入射部５５２の突出端面は平坦面になっていて、この平坦面に対向させて配置される光源から照明光が入射するようになっている。光放射部材５０の厚さ方向上側の約半分は縦断面形状が半円状になっていて、縦断面形状半円の上面は、ブラスト処理などが施されることによって光発散部５５１になっている。
【００５０】
図１５に示すように、光放射部材５０は、入射部５５２の形成位置の内周側に、入射部５５２から入射される照明光を光放射部材５０の長さ方向すなわち周方向に向けて反射させる反射面５５３が設けられている。反射面５５３は、照明光を両方向に振り分けて反射させる２つの反射面からなる。反射面５５３は鏡面仕上げされ、反射膜が形成される。図１６、図１７に示すように、光放射部材５０の底面は、入射部５５２から両方向に一定の距離まで平坦底面５５６になっている。平坦底面５５６よりも入射部５５２から遠い部分の底面は傾斜面５５５になっていて、入射部５５２から遠ざかるにしたがって厚みが薄くなっている。光放射部材５０の厚みは、入射部から周方向に１８０度ずれた位置の厚みが最も薄くなっている。符号５５４は導光部を示している。
【００５１】
以上説明した図１３乃至図１７に示す光放射部材５０の例によれば、入射部５５２から最も遠い位置の厚みが最も薄くなっているため、入射部５５２から最も遠い位置において光の収束度合が最も大きい。したがって、入射部５５２から遠ざかるにしたがって光が収束され、光発散部５５１から均一に光が発散される。光源の数が少なくても光が均一に発散されるため、コストの低廉化を図ることができる。光放射部材５０は厚さが薄くても光発散部５５１から均一に光を発散することができるため、光放射部材５０およびマイクロホンの寸法を小さくすることができる。
【００５２】
［光放射部材のさらに別の変形例］
これまで説明した光放射部材は、長さ方向両端部から光が入射され、あるいは長さ方向中央部から光が入射されて長さ方向両方向に導かれる構成になっていたが、長さ方向一端部が入射部になっていてもよい。この構成においては、光放射部材の長さ方向全体において均一に光を発散することができるように、入射部から最も遠い位置すなわち長さ方向他端部の厚みを最も薄くする。
【００５３】
光放射部材は、長さ方向中央部が入射部になっていて、入射した光を光放射部材の長さ方向両方向に振り分けて反射する構成にしてもよい。この構成の場合、入射部より最も遠い光放射部材の両端部の厚みが最も薄くなる。
【００５４】
光放射部材の形状は、円形状のものに限られるものではない。例えば、楕円形状であってもよいし、直線状であってもよい。
【００５５】
光放射部材への光の入射方向は、図示の実施例ではいずれも光放射部材の長さ方向に対して直交する方向であり、反射面を設けることによって光源からの光を光放射部材の長さ方向に導く構成になっている。かかる構成にすることによって、例えば回路基板に面実装した光源からの光を光放射部材内に導くことができる。しかし、かかる構成に限定されるものではなく、光放射部材の長さ方向の端面に対向させて光源を配置し、上記光源からの光が直接光放射部材の長さ方向に導入される構成にしてもよい。この構成の場合、光放射部材に、光を導く方向を変える反射面を設ける必要はない。
【００５６】
さらに、光放射部材に蓄光性を備えた部材（以下「蓄光部材」という）を付加してもよい。例えば、光放射部材の側面に沿って蓄光部材を配置し、蓄光部材も光放射部材とともに光源である発光素子からの光を受けて蓄光するように構成する。かかる構成にすれば、光放射部材が蓄光性を備えることになり、発光素子の点灯時に光を蓄光し、発光素子が消灯すると蓄光された光が放射される。
【００５７】
このような光放射部材は、例えばマイクロホンがオフのときに発光素子が点灯し、オンのときに発光素子が消灯する構成において利用できる。マイクロホンがオフのときに発光素子が点灯してその光を光放射部材の蓄光部材が蓄えるとともに、光放射部材は発光素子の発光色で光を放射する。マイクロホンがオンになると発光素子が消灯し、光放射部材は蓄光部材が蓄えた光を放出する。蓄光部材が放射する光の色は、上記発光素子の発光色とは異なる色になるように設定する。こうして、マイクロホンのオン、オフの状態を１つの発光素子で明確に指示することができる。このような構成は、例えば、スライド映写機やプロジェクタ等を用いて会議を行うような場合、すなわち会場が薄暗い場合に効果を発揮する。
【符号の説明】
【００５８】
１    マイクロホン
２    マイクロホンユニット
３    光源（ＬＥＤ）
４    光源（ＬＥＤ）
５    光放射部材
６    スイッチ
７    操作板
８    カバー
９    フロントメッシュ
１０    マイクロホン本体
５１    光発散部
５２    入射部
５３    反射面
５４    導光部
５５    傾斜面
１００    マイクロホン保持具
１１０    マイクロホン保持部
１１１    フランジ
１１５    マイクロホン装着部
１２０    ショックマウント
１３０    ロックリング
１４０    コネクタ
２００    グースネック型マイクロホン
２１０    グースネック型マイクロホンの基部
【図１】
2015119271.tif 000003
【図２】
2015119271.tif 000004
【図３】
2015119271.tif 000005
【図４】
2015119271.tif 000006
【図５】
2015119271.tif 000007
【図６】
2015119271.tif 000008
【図７】
2015119271.tif 000009
【図８】
2015119271.tif 000010
【図９】
2015119271.tif 000011
【図１０】
2015119271.tif 000012
【図１１】
2015119271.tif 000013
【図１２】
2015119271.tif 000014
【図１３】
2015119271.tif 000015
【図１４】
2015119271.tif 000016
【図１５】
2015119271.tif 000017
【図１６】
2015119271.tif 000018
【図１７】
2015119271.tif 000019
【図１８】
2015119271.tif 000020